【手続補正書】
【提出日】平成17年7月20日(2005.7.20)
【手続補正１】
【補正対象書類名】明細書
【補正対象項目名】特許請求の範囲
【補正方法】変更
【補正の内容】
【特許請求の範囲】
【請求項１】  少なくとも１つの炭素系以外のカルボキシル官能基を含んでおり、且つ少なくとも１つのマスキング剤によってマスクされていることを特徴とする、少なくとも部分的にマスクされているイソシアネート組成物。
【請求項２】  前記組成物の先駆物質と、自由イソシアネート官能基に対して反応性がある官能基及び前記カルボキシル官能基を有する試薬との反応によって、前記カルボキシル官能基をグラフトさせたことを特徴とする、請求項１に記載のイソシアネート組成物。
【請求項３】  自由イソシアネート官能基に対して反応性がある官能基及びカルボキシル官能基を有する前記試薬が、カルボキシル官能基を持つマスキング剤であることを特徴とする、請求項２に記載のイソシアネート組成物。
【請求項４】  前記組成物が少なくとも２つのマスキング剤によってマスクされた組成物であり、このマスキング剤のうちの少なくとも１つが、炭素系以外のカルボキシル官能基を持つことを特徴とする、請求項１〜３のいずれかに記載のイソシアネート組成物。
【請求項５】  前記カルボキシル官能基とイソシアネート官能基（マスクされたもの、自由なもの、及びカルボキシル官能基を持つ任意の薬剤と反応したもの）との当量比が少なくとも５％であることを特徴とする、請求項１〜４のいずれかに記載のイソシアネート組成物。
【請求項６】  前記カルボキシル官能基とイソシアネート官能基（マスクされたもの、自由なもの、及びカルボキシル官能基を持つ任意の薬剤と反応したもの）との当量比が９／１０以下であることを特徴とする、請求項１〜５のいずれかに記載のイソシアネート組成物。
【請求項７】  焼き付け条件において解離しない薬剤が前記カルボキシル官能基を持つこと、及び架橋能力を維持するために、解離しないこの試薬が持つ酸の量を、イソシアネート官能基の全量（自由なもの、マスクされたもの、及び解離しないマスキング剤に結合したもの）の１／２以下にすることを特徴とする、請求項１〜６のうちのいずれかに記載のイソシアネート組成物。
【請求項８】  前記炭素系以外のカルボキシル官能基を、酸又はその塩から選択することを特徴とする、請求項１〜７のいずれかに記載のイソシアネート組成物。
【請求項９】  前記炭素系以外のカルボキシル官能基が酸官能基（−ＣＯＯＨ）であることを特徴とする、請求項１〜８のいずれかに記載のイソシアネート組成物。
【請求項１０】  カルボキシル官能基を有する前記マスキング剤が、当量で、全マスキング剤の少なくとも１０％を占めることを特徴とする、請求項１〜９のいずれかに記載のイソシアネート組成物。
【請求項１１】  カルボキシル官能基を有する前記マスキング剤が、マスキング剤１つ当たり、４以下の自由に回転するメチル又はメチレン基を有することを特徴とする、請求項１〜１０のいずれかに記載のイソシアネート組成物。
【請求項１２】  カルボキシル官能基を有する前記マスキング剤が以下の式（Ｉ）に対応していることを特徴とする、請求項１〜１１のいずれかに記載のイソシアネート組成物。
Ａｒ（Ｒ）ｎ（Ｙ−Ｚ）ｍ（ＯＨ）ｐ        （Ｉ）
（ここで、Ａｒは芳香族基部であり、これにはｎ個の置換基Ｒ、カルボン酸官能基及びその塩からから選択されるｍ個の極性官能基Ｚ、並びにｐ個のヒドロキシル官能基がグラフトしており、ｎ、ｍ、及びｐの値は、ｎ＋ｍ＋ｐの値が置換可能な部分の数を超えない値である。）
【請求項１３】  前記カルボキシル官能基が、芳香族環に直接に結合していることを特徴とする、請求項１〜１２のいずれかに記載のイソシアネート組成物。
【請求項１４】  カルボキシル官能基を持たないマスキング剤を、オキシム類、ラクタム類、ピラゾール類、及びトリアゾール類から選択することを特徴とする、請求項１〜１３のいずれかに記載のイソシアネート組成物。
【請求項１５】  前記イソシアネート組成物を、少なくとも１つのマスクされた脂肪族イソシアネート官能基を持つオリゴマー又は低分子量縮合体から作ることを特徴とする、請求項１〜１４のいずれかに記載のイソシアネート組成物。
【請求項１６】  前記マスクされた脂肪族官能基が、ｓｐ３タイプの炭素によって骨格に結合していることを特徴とする、請求項１５に記載のイソシアネート組成物。
【請求項１７】  前記脂肪族官能基が、第２級又は第３級又はネオペンチルのいずれでもないことを特徴とする、請求項１６に記載のイソシアネート組成物。
【請求項１８】  前記イソシアネート組成物が、複数のモノマーの低分子量縮合又はオリゴマー化によって得られる混合物の少なくとも部分的なマスキングによって得られ、ここで前記複数のモノマーのうちの少なくとも１つが、少なくとも１つの、第２級又は第３級又はネオペンチルのいずれでもない脂肪族官能基を有することを特徴とする、請求項１〜１７のいずれかに記載のイソシアネート組成物。
【請求項１９】  第２級又は第３級又はネオペンチルのいずれでもない少なくとも１つの脂肪族官能基を持つ前記モノマーから得られる単位が、１／３以上のマスクされたイソシアネート官能基を持つことを特徴とする、請求項１８に記載のイソシアネート組成物。
【請求項２０】  前記イソシアネート組成物が、複数のモノマーのオリゴマー化又は低分子量縮合によって得られる混合物の少なくとも部分的なマスキングによって得られ、前記複数のモノマーのうちの少なくとも１つがポリメチレン鎖を有し、少なくとも１つのポリメチレン鎖を有するこのモノマーから得られる単位が、１／３以上のマスクされたイソシアネート官能基を有することを特徴とする、請求項１〜１９のいずれかに記載のイソシアネート組成物。
【請求項２１】  カルボキシル官能基を持たないマスキング剤を、トリアゾール類から選択することを特徴とする、請求項１〜２０のいずれかに記載のイソシアネート組成物。
【請求項２２】  有機塩基も含むことを特徴とする、請求項１〜２１のいずれかに記載のイソシアネート組成物。
【請求項２３】  請求項１〜２２のいずれかに記載の組成物の、粉体ペイント配合物での使用。
【請求項２４】  請求項２３に記載の使用によって得られることを特徴とする、コーティング。
【手続補正２】
【補正対象書類名】明細書
【補正対象項目名】００９２
【補正方法】変更
【補正の内容】
【００９２】
本発明のイソシアネート組成物及び化合物は、粉体状で使用することができる。それらは溶解した形でも使用することができる。それらはサスペンションの形で使用すると特別な価値があり、これは特に自由イソシアネートの含有率が低いときにいえる（自由イソシアネート／全イソシアネートの比（当量で）は有利には５％以下、好ましくは２％以下）。
尚、本発明は様々な実施態様で実施することができるが、例えば下記の実施態様を挙げることができる。
（実施態様１） 少なくとも１つの炭素系以外のカルボキシル官能基を含んでおり、且つ少なくとも１つのマスキング剤によってマスクされていることを特徴とする、少なくとも部分的にマスクされているイソシアネート組成物。
（実施態様２） 前記組成物の先駆物質と、自由イソシアネート官能基に対して反応性がある官能基及び前記カルボキシル官能基を有する試薬との反応によって、前記カルボキシル官能基をグラフトさせたことを特徴とする、実施態様１に記載のイソシアネート組成物。
（実施態様３） 自由イソシアネート官能基に対して反応性がある官能基及びカルボキシル官能基を有する前記試薬が、カルボキシル官能基を持つマスキング剤であることを特徴とする、実施態様２に記載のイソシアネート組成物。
（実施態様４） 前記組成物が少なくとも２つのマスキング剤によってマスクされた組成物であり、このマスキング剤のうちの少なくとも１つが、炭素系以外のカルボキシル官能基を持つことを特徴とする、実施態様１〜３のいずれかに記載のイソシアネート組成物。
（実施態様５） 前記カルボキシル官能基とイソシアネート官能基（マスクされたもの、自由なもの、及びカルボキシル官能基を持つ任意の薬剤と反応したもの）との当量比が少なくとも５％、有利には少なくとも１０％、好ましくは少なくとも２０％であることを特徴とする、実施態様１〜４のいずれかに記載のイソシアネート組成物。
（実施態様６） 前記カルボキシル官能基とイソシアネート官能基（マスクされたもの、自由なもの、及びカルボキシル官能基を持つ任意の薬剤と反応したもの）との当量比が約９／１０以下、有利には約４／５以下、好ましくは２／３以下、より好ましくは１／３以下であることを特徴とする、実施態様１〜５のいずれかに記載のイソシアネート組成物。
（実施態様７） 焼き付け条件において解離しない薬剤が前記カルボキシル官能基を持つこと、及び架橋能力を維持するために、解離しないこの試薬が持つ酸の量を、イソシアネート官能基の全量（自由なもの、マスクされたもの、及び解離しないマスキング剤に結合したもの）の１／２以下、有利には１／３以下にすることを特徴とする、実施態様１〜６のうちのいずれかに記載のイソシアネート組成物。
（実施態様８） 前記炭素系以外のカルボキシル官能基を、酸又はその塩から選択することを特徴とする、実施態様１〜７のいずれかに記載のイソシアネート組成物。
（実施態様９） 前記炭素系以外のカルボキシル官能基が酸官能基（−ＣＯＯＨ）であることを特徴とする、実施態様１〜８のいずれかに記載のイソシアネート組成物。
（実施態様１０） カルボキシル官能基を有する前記マスキング剤が、当量で、全マスキング剤の少なくとも１０％を占めることを特徴とする、実施態様１〜９のいずれかに記載のイソシアネート組成物。
（実施態様１１） カルボキシル官能基を有する前記マスキング剤が、当量で、全マスキング剤の少なくとも２０％を占めることを特徴とする、実施態様１〜１０のいずれかに記載のイソシアネート組成物。
（実施態様１２） カルボキシル官能基を有する前記マスキング剤が、マスキング剤１つ当たり、４以下、有利には２以下の自由に回転するメチル又はメチレン基を有することを特徴とする、実施態様１〜１１のいずれかに記載のイソシアネート組成物。
（実施態様１３） カルボキシル官能基を有する前記マスキング剤が以下の式（Ｉ）に対応していることを特徴とする、実施態様１〜１２のいずれかに記載のイソシアネート組成物。
Ａｒ（Ｒ）ｎ（Ｙ−Ｚ）ｍ（ＯＨ）ｐ （Ｉ）
（ここで、Ａｒは芳香族基部であり、これにはｎ個の置換基Ｒ、カルボン酸官能基及びその塩からから選択されるｍ個の極性官能基Ｚ、並びにｐ個のヒドロキシル官能基がグラフトしており、ｎ、ｍ、及びｐの値は、ｎ＋ｍ＋ｐの値が置換可能な部分の数を超えない値であり、有利にはｐは２以下、好ましくは１である。）
（実施態様１４） 前記カルボキシル官能基が、芳香族環に直接に結合していることを特徴とする、実施態様１〜１３のいずれかに記載のイソシアネート組成物。
（実施態様１５） カルボキシル官能基を持たないマスキング剤を、それ自体は既知のマスキング剤から選択することを特徴とする、実施態様１〜１４のいずれかに記載のイソシアネート組成物。
（実施態様１６） カルボキシル官能基を持たないマスキング剤を、オキシム類、ラクタム類、ピラゾール類、及びトリアゾール類から選択することを特徴とする、実施態様１〜１５のいずれかに記載のイソシアネート組成物。
（実施態様１７） 前記イソシアネート組成物を、少なくとも１つのマスクされた脂肪族イソシアネート官能基を持つオリゴマー又は低分子量縮合体から作ることを特徴とする、実施態様１〜１６のいずれかに記載のイソシアネート組成物。
（実施態様１８） 前記マスクされた脂肪族官能基が、有利には１つ、好ましくは２つの水素原子を持つｓｐ３タイプの炭素によって骨格に結合していることを特徴とする、実施態様１７に記載のイソシアネート組成物。
（実施態様１９） 前記脂肪族官能基が、第２級又は第３級又はネオペンチルのいずれでもないことを特徴とする、実施態様１８に記載のイソシアネート組成物。
（実施態様２０） 前記イソシアネート組成物が、複数のモノマーの低分子量縮合又はオリゴマー化によって得られる混合物の少なくとも部分的なマスキングによって得られ、ここで前記複数のモノマーのうちの少なくとも１つが、少なくとも１つ、有利には２つの、第２級又は第３級又はネオペンチルのいずれでもない脂肪族官能基を有することを特徴とする、実施態様１〜１９のいずれかに記載のイソシアネート組成物。
（実施態様２１） 第２級又は第３級又はネオペンチルのいずれでもない少なくとも１つ、有利には２つの脂肪族官能基を持つ前記モノマーから得られる単位が、１／３以上、有利には１／２以上、好ましくは２／３以上のマスクされたイソシアネート官能基を持つことを特徴とする、実施態様２０に記載のイソシアネート組成物。
（実施態様２２） 前記イソシアネート組成物が、複数のモノマーのオリゴマー化又は低分子量縮合によって得られる混合物の少なくとも部分的なマスキングによって得られ、前記複数のモノマーのうちの少なくとも１つがポリメチレン鎖を有し、少なくとも１つのポリメチレン鎖を有するこのモノマーから得られる単位が、１／３以上、有利には１／２以上、好ましくは２／３以上のマスクされたイソシアネート官能基を有することを特徴とする、実施態様１〜２１のいずれかに記載のイソシアネート組成物。
（実施態様２３） カルボキシル官能基を持たないマスキング剤を、トリアゾール類から選択することを特徴とする、実施態様１〜２２のいずれかに記載のイソシアネート組成物。
（実施態様２４） 有機塩基、有利には第３アミンも含むことを特徴とする、実施態様１〜２３のいずれかに記載のイソシアネート組成物。
（実施態様２５） 実施態様１〜２４のいずれかに記載の組成物の、粉体ペイント配合物での使用。
（実施態様２６） 実施態様２５に記載の使用によって得られることを特徴とする、コーティング。